(57)【要約】【課題】ケーブル端子固定装置に設けた固定機構に向ってケーブル端子それ自体を移動させる代わりに、ケーブル端子固定装置の所定位置に予め位置決めされたケーブル端子に向って、ケーブル端子固定装置に設けたスライド部材を移動させることにより、ケーブル端子を導体に固定させ、これによって、ケーブル端子固定装置のユーザの使い勝手の向上を図ることにある。【解決手段】板状の導体と、導体に対して予め位置決めされたケーブル端子に向って、導体の長さ方向に沿ってスライド可能に設けたスライド部材と、を備える。スライド部材をケーブル端子に向ってスライドさせることにより、ケーブル端子と導体と電気的に接続させた状態でケーブル端子を導体に固定するように構成されている。【選択図】図１
2020202085.tif 000002
【特許請求の範囲】
【請求項１】
板状の導体と、
前記導体に対して予め位置決めされたケーブル端子に向って、前記導体の長さ方向に沿ってスライド可能に設けたスライド部材と、を備え、
前記スライド部材を前記ケーブル端子に向ってスライドさせることにより、前記ケーブル端子と前記導体とを電気的に接続させた状態で前記ケーブル端子を前記導体に固定するように構成されている、
ことを特徴とするケーブル端子固定装置。
【請求項２】
前記ケーブル端子を前記導体に対して位置決めする位置決め手段を更に備え、
前記位置決め手段は、前記導体の長さ方向と幅方向によって定まる面と交差する方向に沿って前記ケーブル端子を前記導体に対して予め位置決めすることができるように構成されている、請求項１に記載のケーブル端子固定装置。
【請求項３】
前記スライド部材は、少なくとも、前記導体の長さ方向と幅方向の双方と直交する方向において弾性を有し、前記スライド部材を前記ケーブル端子に向ってスライドさせたときに、前記導体と前記ケーブル端子の双方をそれらの外側から周状に覆って一体的に弾性保持する、請求項２に記載のケーブル端子固定装置。
【請求項４】
前記導体を支持するハウジングを更に備え、前記ハウジングは、前記導体を支持する本体と、前記本体にスライド可能に取り付けられる、前記スライド部材を支持する支持体とを含む、請求項３に記載のケーブル端子固定装置。
【請求項５】
前記ケーブル端子は、凹状部分又は凸状部分を有し、
前記本体は、前記位置決め手段として、前記凹状部分又は凸状部分と噛み合う、前記交差する方向に沿って突出した凸状部分又は前記交差する方向に沿って窪んだ凹状部分を有し、
前記ケーブル端子の凹状部分又は凸状部分と、前記本体の凹状部分又は凸状部分とを噛み合わせることにより、前記ケーブル端子は前記本体に対して予め位置決めされる、請求項４に記載のケーブル端子固定装置。
【請求項６】
前記ケーブル端子の凹状部分は貫通孔であり、
前記本体の凸状部分は、前記導体の長さ方向と幅方向の双方と直交する方向に延びた、前記貫通孔に挿通される突部である、請求項５に記載のケーブル端子固定装置。
【請求項７】
前記スライド部材は、前記ケーブル端子に向ってスライドさせた際に前記突部を前記スライドの方向において許容する切り欠きと、前記導体と前記ケーブル端子の双方をそれらの外側から周状に覆って一体的に弾性保持する空間に前記ケーブル端子を誘い込むための誘い込み片と、前記空間における前記導体と前記ケーブル端子のうち前記導体と接触する接触部を有する、請求項６に記載のケーブル端子固定装置。
【請求項８】
前記導体はバスバーである、請求項１乃至７のいずれかに記載のケーブル端子固定装置。
【請求項９】
前記スライド部材を梃子の原理を利用して前記ケーブル端子に向ってスライドさせるレバーが設けられている、請求項１乃至８のいずれかに記載のケーブル端子固定装置。
【発明の詳細な説明】
【技術分野】
【０００１】
本発明は、ケーブル端子を導体に固定させることができる装置であるケーブル端子固定装置に関する。
【背景技術】
【０００２】
配電板、工作機械、コンピュータシステム等において、ケーブル端子をバスバー等の導体に固定させるために、ケーブル端子固定装置が利用されている。例えば、特開平７−２２０８５号公報、特開２０１８−１９５５３２号公報、特開２０１７−１１７６５２号公報、特開２００１−３５５６８号公報に、ケーブル端子固定装置の一例が示されている。
【０００３】
ケーブル端子固定装置は、例えば、地面に水平に設置された状態で使用することもできるし、また、上下方向において中空に保持した状態で使用することもできる。前者の場合、ケーブル端子は、地面に這わせた状態で、後者の場合、ケーブル端子は、壁面等に這わせた状態又は中空にて支持された状態で、ケーブル端子固定装置に設けた固定機構によって固定される。
【０００４】
例えば、配電板に利用されるケーブル端子固定装置では、後者の態様でケーブル端子を固定させることも多いが、この場合、ユーザは、例えば、約４ｃｍ程度の径を有する重たいケーブルが接続されたケーブル端子を、ケーブル端子固定装置が設置された中空位置まで持ち上げ、更に、これを、ケーブル端子固定装置に設けた固定機構に向って、下方から上方に向って又は上方から下方に向って移動させることにより固定作業を行う必要があり、固定作業は、ユーザにとって非常に大きな負担となっていた。
【先行技術文献】
【特許文献】
【０００５】
【特許文献１】特開平７−２２０８５号公報
【特許文献２】特開２０１８−１９５５３２号公報
【特許文献３】特開２０１７−１１７６５２号公報
【特許文献４】特開２００１−３５５６８号公報等
【発明の概要】
【発明が解決しようとする課題】
【０００６】
本願発明はこのような従来技術における問題点を解決するためになされたものであり、ケーブル端子固定装置に設けた固定機構に向ってケーブル端子それ自体を移動させる代わりに、ケーブル端子固定装置の所定位置に予め位置決めされたケーブル端子に向って、ケーブル端子固定装置に設けたスライド部材を移動させることにより、ケーブル端子を導体に固定させ、これによって、ケーブル端子固定装置のユーザの使い勝手の向上を図ることを目的とする。
【課題を解決するための手段】
【０００７】
上記の課題を解決するため、本発明の一態様によるケーブル端子固定装置は、板状の導体と、前記導体に対して予め位置決めされたケーブル端子に向って、前記導体の長さ方向に沿ってスライド可能に設けたスライド部材と、を備え、前記スライド部材を前記ケーブル端子に向ってスライドさせることにより、前記ケーブル端子と前記導体とを電気的に接続させた状態で前記ケーブル端子を前記導体に固定するように構成されていることを特徴として有する。
この態様のケーブル端子固定装置によれば、ケーブル端子固定装置の所定位置に予め位置決めされたケーブル端子に向って、ケーブル端子固定装置に設けたスライド部材を移動させることにより、ケーブル端子を導体に固定させ、これによって、ケーブル端子固定装置のユーザの使い勝手の向上を図ることができる。尚、前記導体はバスバーであってもよい。
【０００８】
上記態様のケーブル端子固定装置において、前記ケーブル端子を前記導体に対して位置決めする位置決め手段を更に備え、前記位置決め手段は、前記導体の長さ方向と幅方向によって定まる面と交差する方向に沿って前記ケーブル端子を前記導体に対して予め位置決めすることができるように構成されていてもよい。
【０００９】
また、上記態様のケーブル端子固定装置において、前記スライド部材は、少なくとも、前記導体の長さ方向と幅方向の双方と直交する方向において弾性を有し、前記スライド部材を前記ケーブル端子に向ってスライドさせたときに、前記導体と前記ケーブル端子の双方をそれらの外側から周状に覆って一体的に弾性保持するものであってもよい。
【００１０】
更に、上記態様のケーブル端子固定装置において、前記導体を支持するハウジングを更に備え、前記ハウジングは、前記導体を支持する本体と、前記本体にスライド可能に取り付けられる、前記スライド部材を支持する支持体とを含むのが好ましい。
【００１１】
上記態様のケーブル端子固定装置において、前記ケーブル端子は、凹状部分又は凸状部分を有し、前記本体は、前記位置決め手段として、前記凹状部分又は凸状部分と噛み合う、前記交差する方向に沿って突出した凸状部分又は前記交差する方向に沿って窪んだ凹状部分を有し、前記ケーブル端子の凹状部分又は凸状部分と、前記本体の凹状部分又は凸状部分とを噛み合わせることにより、前記ケーブル端子は前記本体に対して予め位置決めされてもよい。
【００１２】
上記態様のケーブル端子固定装置において、前記ケーブル端子の凹状部分は貫通孔であり、前記本体の凸状部分は、前記導体の長さ方向と幅方向の双方と直交する方向に延びた、前記貫通孔に挿通される突部であってもよい。
【００１３】
更に、上記態様のケーブル端子固定装置において、前記スライド部材は、前記ケーブル端子に向ってスライドさせた際に前記突部を前記スライドの方向において許容する切り欠きと、前記導体と前記ケーブル端子の双方をそれらの外側から周状に覆って一体的に弾性保持する空間に前記ケーブル端子を誘い込むための誘い込み片と、前記空間における前記導体と前記ケーブル端子のうち前記導体と接触する底側支持部を有してもよい。
【００１４】
尚、上記態様のケーブル端子固定装置において、前記スライド部材を梃子の原理を利用して前記ケーブル端子に向ってスライドさせるレバーが設けられていてもよい。
【発明の効果】
【００１５】
本願発明によれば、ケーブル端子固定装置に設けた固定機構に向ってケーブル端子それ自体を移動させる代わりに、ケーブル端子固定装置の所定位置に予め位置決めされたケーブル端子に向って、ケーブル端子固定装置に設けたスライド部材を移動させることにより、ケーブル端子を導体に固定させ、これによって、ケーブル端子固定装置のユーザの使い勝手の向上させたケーブル端子固定装置が提供される。
【図面の簡単な説明】
【００１６】
【図１】本発明の一実施形態によるケーブル端子固定装置の斜視図である。
【図２】ケーブル端子を導体に対して位置決めした状態を示す斜視図である。
【図３】ケーブル端子を導体に対して固定した状態を示す斜視図である。
【図４】ケーブル端子固定装置の一部分解斜視図を示す。
【図５】スライド部材を支持した支持体の拡大図を示した拡大斜視図である。
【図６】スライド部材を支持した支持体の拡大図を図５とは異なる角度で示した拡大斜視図である。
【図７】スライド部材の斜視図である。
【図８】変形例を示す斜視図である。
【図９】図８を角度を変えて示した斜視図である。
【発明を実施するための形態】
【００１７】
以下、添付図面を参照しつつ、本発明の好適な一つの実施形態について説明する。説明の便宜のため好適な実施形態のみを示すが、勿論、これによって本発明を限定しようとするものではない。
【００１８】
図１に、本発明の一実施形態によるケーブル端子固定装置１の斜視図を示す。ケーブル端子固定装置１は、少なくとも、導体２と、スライド部材３Ａ、３Ｂを含む。更に、導体２を支持する樹脂製のハウジング４を備えてもよい。ハウジング４を設けるか否かは任意である。また、ケーブル端子固定装置１に固定されるケーブル端子の数は、１つとしてもよいし、２つ以上としてもよい。図示の例では、２つのケーブル端子１２Ａ、１２Ｂが、ケーブル端子固定装置１に設けた固定機構を用いて固定され、ケーブル端子固定装置１に設けた導体２を通じて、ケーブル端子１２Ａ、１２Ｂを互いに電気的に接続させることができることが態様の一例を示したものである。
【００１９】
ケーブル端子固定装置１は、左右対称形状を有するものとする。但し、必ずしも、左右対称形状とする必要はない。本明細書の記載及び図面の記載においては、左右を区別することが可能であり、且つ、好ましいと考えられる場合には、スライド部材３Ａ、３Ｂやケーブル端子１２Ａ、１２Ｂと同様に、参照番号の後に「Ａ」又は「Ｂ」の文字を適宜付すことにする。また、ケーブル端子１２Ａ、１２Ｂのそれぞれの一端に接続されるケーブル１１についても同様に、「Ａ」、「Ｂ」の文字を適宜付すことにする。
【００２０】
ケーブル端子１２Ａ、１２Ｂは市販品で足りる。ケーブル端子１２Ａ、１２Ｂの形状、材質等は特に限定されるものではないが、本実施形態では、使用の容易さから、いわゆる丸端子を用いた。丸端子に設けた貫通孔１２ａは、ケーブル端子１２Ａ、１２Ｂを導体２に対して位置決めする際に有用である。
【００２１】
導体２として、一般に用いられているバスバーを用いることにする。但し、これに限定されるものではなく、バスバー以外の導体を用いてもよい。本明細書において「バスバー」とは、主に配電盤や制御盤などの電気接続に用いられる、例えば、鉄や黄銅等の導電部材から成る導体を意味する。バスバーは、大電流を流す必要がある状況で使用されることがあり、また、一般の電線に比べて放熱性が良好なため、高周波の電気抵抗を抑制する必要がある状況で使用されることも多い。本発明のケーブル端子固定装置１は、従って、例えば、上記のような環境下で効果的に使用することができる。
【００２２】
バスバー２は、ここでは、ケーブル端子固定装置１の長さ方向「β」に沿って延在する上面視矩形の板状体として形成されており、互いに直交する長さ方向「β」と幅方向「γ」によって定まる平らな面２４を有する。尚、本明細書中の「長さ方向」及び「幅方向」の語は、それらの長短を何ら意味しておらず、従って、必ずしも、長さ方向「β」のおける寸法が、幅方向「γ」における寸法より長いわけではない。
バスバー２の一端側には、ハウジング４の一部である突部４９Ａが、一方、バスバー２の他端側には、ハウジング４の一部である突部４９Ｂが、それぞれ、バスバー２に設けた略Ｕ字状の切り欠き２２Ａ等を挿通した状態で設置されている。これらの突部４９Ａ、４９Ｂは、ケーブル端子１２Ａ、１２Ｂをバスバー２に対して位置決めする位置決め手段の一例である。突部４９Ａ、４９Ｂは、バスバー２の面２４と交差する方向、本実施形態では一例として、長さ方向「β」と幅方向「γ」の双方と直交する「α」方向に沿って延びている。
尚、突部４９Ａ、４９Ｂは、ここでは、ハウジング４の一部として形成されるものとして説明したが、これに限らず、例えば、バスバー２の一部としてそのような突部を設けてもよい。
さらに、ケーブル端子１２Ａ、１２Ｂを接近させる側に形成された、突部４９Ａ、４９Ｂの面、図１の例で言えば、バスバー２の面２４と平行に形成された突部４９Ａ、４９Ｂの平らな先端面に対して、丸端子に設けた貫通孔１２ａと係止しあう凹凸形状を設けてもよい。
【００２３】
スライド部材３は、強度を確保するため、金属製とするのが好ましく、少なくとも直交方向「α」において弾性を有する弾性部材とする。本実施形態では、このようなスライド部材３として、特に、スプリング端子を用いている。但し、バスバー２にスライド可能な状態で設けられていること、バスバー２に対して予め位置決めされたケーブル端子１２に向って長さ方向「β」に沿ってスライドさせることにより、バスバー２と電気的に接続させた状態でケーブル端子１２Ａ、１２Ｂを当該バスバー２に固定することができること、の要件を満たせば、スプリング端子以外の、他の弾性部材を用いることもできる。尚、図１では、便宜上、ケーブル端子１２Ａについては、バスバー２に対して位置決めや固定を行う前の状態を、ケーブル端子１２Ｂについては、バスバー２に対して位置決め及び固定が既になされた状態を、それぞれ示している。
【００２４】
図２に、図１の状態から更に進んで、ケーブル端子１２Ａをバスバー２に対して位置決めした状態を、図１と同様の斜視図で示す。ケーブル端子１２Ａ、１２Ｂはそれぞれ、面２４に対して交差する方向、本実施形態では一例として、面２４に対して直交する「α」方向に沿って突部４９に接近させ、それらの中心に設けた貫通孔１２ａを、ハウジング４の一部である突部４９に挿通させることにより、ハウジング４に対して位置決めされ、更に、バスバー２に対して位置決めされる。尚、本実施形態では、ケーブル端子１２Ａをバスバー２に対して位置決めするために、貫通孔１２ａと突部４９を使用しているが、必ずしも、これに限定されるものではなく、例えば、ケーブル端子１２の側に、貫通孔１２ａによって形成されるような凹状部分、又は、凸状部分を設け、これに対応して、ハウジング４の側に、これら凹状部分又は凸状部分とそれぞれ噛み合う、凹状部分、又は、突部４９によって形成されるような凸状部分を設けてもよい。これら凹状部分又は凸状部分を互いに噛み合わせることにより、ケーブル端子１２を、ハウジング４に対して、更にこれを通じて、バスバー２に対して位置決めすることができる。
【００２５】
図３に、図２の状態から更に進んで、バスバー２に対して予め位置決めされたケーブル端子１２Ａを、スプリング端子３Ａを用いてバスバー２に対して固定した状態を、図１、図２と同様の斜視図で示す。ケーブル端子１２Ａ、１２Ｂは、スプリング端子３Ａ、３Ｂをそれぞれ、バスバー２に対して予め位置決めされたケーブル端子１２Ａ、１２Ｂに向って「β１」方向にスライドさせることによりバスバー２に固定される。このように、スプリング端子３Ａ、３Ｂをスライドさせる前に、ケーブル端子１２Ａ、１２Ｂを、バスバー２に対して予め位置決めしておくことにより、また、この予め位置決めされたケーブル端子１２Ａ、１２Ｂに向って、スプリング端子３Ａ、３Ｂをスライドさせることにより、ケーブル端子１２Ａ、１２Ｂを、導体に固定させることにより、バスバー２に対するケーブル端子１２Ａ、１２Ｂの固定作業を、作業者に大きな負担を与えることなく行うことができる。尚、スプリング端子３Ａ、３Ｂのように、スライド部材それ自体が導電性を有している場合には、ケーブル端子１２Ａ、１２Ｂがバスバー２に固定された際、ケーブル端子１２Ａ、１２Ｂとバスバー２は、直接的に、物理的且つ電気的に接続される。
【００２６】
図４に、ケーブル端子固定装置１の分解斜視図、ここでは一方の側「Ａ」における分解斜視図を示す。上述したように、ケーブル端子固定装置１は左右対称形状を有しているから、他方の側「Ｂ」については、これと同様に考えればよい。
【００２７】
ハウジング４は、主に、バスバー２を支持する本体４１と、本体４１に固定されバスバー２を本体４１に上方から押さえ付ける中央支持体４５、更に、本体４１にスライド可能に設けられる支持体５０を含む。  
【００２８】
本体４１は、全体として略矩形状を有する。本体４１は、バスバー２と同様に、ケーブル端子固定装置１の長さ方向「β」に沿って、バスバー２と略同じ長さで延在する。本体４１は、突部４９を形成している分離体４８を含む。
【００２９】
分離体４８は、本体４１から自由に取り外すことができる。分離体４８を取り外し可能とすることによって、支持体５０を、本体４１に対してスライド可能に設けることができるようになっている。分離体４８を取り外した際、本体４１の残りの部分４１ａに、支持体５０がスライド可能に取り付けられるレール状案内部４２ａ、４２ｂが現れる。レール状案内部４２ａ、４２ｂは、長さ方向「β」、言い換えれば、スライド方向「β１」に沿う方向に延びており、また、「α−γ」方向断面において内方に向って凸部４３を形成している。後述するように、凸部４３は、支持体５０の所定部分（５２ａ、５２ｂ）と相補形状を成す。
【００３０】
分離体４８は、底部４８ａと、この底部４８ａに対して垂設された垂直壁４８ｂを含む。本体４１に分離体４８が取り付けられたとき、底部４８ａは本体４１の底部の一部を補完し、垂直壁４８ｂは、本体４１の壁面を補完して、本体４１を完全な状態とする。突部４９は、棒状に形成されており、底部４８ａから垂直壁４８ｂと並行に上方「α２」に向って延びている。
【００３１】
中央支持体４５は、本体４１によって支持されたバスバー２を、本体４１に対して固定する板状部材である。中央支持体４５は、バスバー２の上部にかけ渡された基部４５ａと、基部４５ａの両端部から下方に向って延びる２本のアーム部４５ｂを含み、アーム部４５ｂにおいて本体４１に固定されている。
【００３２】
支持体５０は、スプリング端子３を支持する。図４は、スプリング端子３を支持体５０によって支持した状態を示している。スプリング端子３は、支持体５０の移動に伴って、ケーブル端子１２に向って「β１」方向に、又は、ケーブル端子１２から離れる方向に向って「β２」方向に、スライド可能に設けられている。
【００３３】
図５に、支持体５０の拡大図を図４と同様の向きで、また、図６に、支持体５０の拡大図を図４とは異なる向きで、それぞれ示す。支持体５０は、主に、基体５１と、基体５１の底側に形成された取付部５２を含む。
【００３４】
基体５１は、スプリング端子３が載置される載置面５１ａを含む。載置面５１ａには、「α」方向に沿って上方に突出させた一対の障壁５１ｂが、スライド方向「β１」に沿う方向において対向して設けられている。スプリング端子３は、これら一対の障壁５１ｂによって、載置面５１ａの所定位置にスライド方向「β１」に沿う方向において挟み込まれた状態で保持される。一対の障壁５１ｂのうち、ハウジング４の中心側により近い側に位置する一方の障壁には、その幅方向「γ」における両端部に、障壁５１ｂを超えて上方に延びる係止片５１ｃが設けられている。
【００３５】
係止片５１ｃは、支持体５０Ａが図１、図２に示す位置にあるとき、更に詳細には、支持体５０によって支持されたスプリング端子３が、未だ、ケーブル端子１２に固定されていないとき、ハウジング４の一部である中央支持体４５の基部４５ａに設けた係止溝４６に嵌り込んだ状態とされている。
一方、支持体５０Ａが図３に示す位置にあるとき、更に詳細には、支持体５０によって支持されたスプリング端子３が、ケーブル端子１２を固定された状態にあるとき、これらの係止片５１ｃは、係止溝４６から外れた状態にある。
係止片５１ｃ、及び、これらに対応して設けた係止溝４６により、支持体５０やスプリング端子３が不用意にスライドしてしまうことを効果的に防止することができる。
【００３６】
取付部５２は、ハウジング４の本体４１に形成されたレール状案内部４２ａ、４２ｂの凸部４３に対応して、凹部５２ａ、５２ｂを有する。これら凹部５２ａ、５２ｂは、「α−γ」方向断面において内方に向って凹状を成している。凹部５２ａ、５２ｂは、レール状案内部４２ａ、４２ｂの凸部４３と相補関係にある。本体４１から分離体４８を取り外すことによって現れた、本体４１のレール状案内部４２ａ、４２ｂの凸部４３と、凹部５２ａ、５２ｂをかみ合わせることにより、支持体５０を、ハウジング４に対してスライド可能に設けることができる。その後、本体４１に分離体４８を取り付けることによって、本体４１からの支持体５０の離脱を防止することができる。
【００３７】
図７の（ａ）、（ｂ）にそれぞれ、スプリング端子３を、向きを変えて斜視図で示す。スプリング端子３は、弾性を有する留め具として形成されている。スプリング端子３は、左右各側の「α−γ」方向断面において略Ｃ字状を成している。各Ｃ字部は、上方に膨出した上側膨出部３０ａと、下方に膨出した下側膨出部３０ｂを含み、左右各側の略Ｃ字部は、それらの上側において、中央連結部３０ｃによって連結されている。
【００３８】
スプリング端子３の内部に、バスバー２とケーブル端子１２とが、スライド方向「β１」に沿って同時に挿入され得る空間３１が形成されている。上側膨出部３０ａの、ケーブル端子１２の挿入口側には、挿入口の縁の一部を上方に折り曲げることにより、ケーブル端子１２を空間３１に誘い込むための誘い込み片３４ａ、３４ｂが形成されている。誘い込み片３４ａ、３４ｂは一対設けられており、それらの間には、バスバー２の切り欠き２２に対応する、略Ｕ字状の切り欠き３２が形成されている。
【００３９】
スプリング端子３をケーブル端子１２に向って「β１」方向（図２、図３参照）にスライドさせたとき、スプリング端子３は、バスバー２とケーブル端子１２の双方をそれらの外側から周状に覆って一体的に保持することができる。取り分け、左右各側の略Ｃ字部同士を連結する中央連結部３０ｃにおいて、バスバー２とケーブル端子１２の双方を、バスバー２と接触状態にあるスプリング端子３の底側の接触部３０ｄに対して押し付けるように挟持し、そこに固定させる。尚、バスバー２には、切り欠き３２が設けられていることから、スプリング端子３をケーブル端子１２に向って「β１」方向にスライドさせたときであっても、スプリング端子３がハウジング４の突部４９と衝突してしまうことはない。また、この構成によれば、突部４９をバスバー２の切り欠き２２に取り込むことにより、スプリング端子３を、ハウジング４やバスバー２に対して確実に位置決めすることができる。
【００４０】
図８、図９に、ケーブル端子固定装置１の変形例１Ａを示す。上に説明したように、スプリング端子３は、バスバー２とケーブル端子１２を挟持して、それらを固定するものであるため、スプリング端子３をスライドさせる際には、比較的大きな力が必要とされる。変形例では、スプリング端子３を梃子の原理を利用してケーブル端子１２に向ってスライドさせるように構成されており、これによって、スライドに必要とされる力を軽減できるようになっている。更に言えば、ハウジングの本体４１に軸６ａを中心に回転自在に軸支されたレバー６Ａ、６Ｂを、それぞれ、それらの一部を支持体５０に当接させた状態で設け、レバー６Ａ、６Ｂの動きに応じて、支持体５０をスライドさせることができるようになっている。
【００４１】
尚、本発明は、上述した実施の形態に限定されるわけではなく、その他種々の変更が可能である。
【００４２】
例えば、ハウジング４を使用せずに、バスバー２等の導体に、スプリング端子のようなスライド部材３を直接設けてもよい。
また、ケーブル端子１２は、バスバー等の導体２に対して物理的に直接接触した状態で位置決めされる必要はなく、導体と電気的に、言い換えれば、間接的に接触した状態で、導体に対して位置決めされれば十分である。
更に、位置決め手段として、例えば、バスバー２の側に、ケーブル端子１２の外郭に対応する形状を有し、且つ、そのような外殻よりも若干大きな輪郭を有する凹状窪み（図示されていない）を設け、この凹状窪みにケーブル端子１２の外殻を全体的に嵌め込むようにして、ケーブル端子１２をバスバー２に対して位置決めしてもよい。
【００４３】
更にまた、本実施形態では、ケーブル端子固定装置１に、ケーブル端子１２Ａ、１２Ｂの双方を固定する態様、更に言えば、ケーブル端子１２Ａ、１２Ｂを固定した導体２を通じて、ケーブル端子１２Ａ、１２Ｂ同士を電気的に接続する態様を説明したが、これに限らず、例えば、ケーブル端子以外の接続対象、例えば、機器の配線基板（図示されていない）を、ケーブル端子固定装置１に、更に詳細には、導体２に、電気的に接続させた状態で設け、更に、この導体２と電気的に接続し得る態様でケーブル端子を１つだけ設けてもよい。これにより、ケーブル端子と配線基板とを導体２を通じて電気的に接続することができる。逆に、ケーブル端子を１つのみならず、複数固定し、これらを導体２によって電気的に接続させるようにしてもよい。
【００４４】
本発明の更に別の態様、特徴及び効果は、本発明を実施するよう意図された最良の態様を含めて、多数の特定の実施形態及び実施例を示すだけで、以下の詳細な説明から容易に明らかとなろう。又、本発明は、他の及び異なる実施形態で構成することもでき、そしてその多数の細部は、本発明の精神及び範囲から逸脱せずに、種々の明らかな観点において変更することができる。従って、図面及び説明は、例示に過ぎず、これに限定されるものではない。
【符号の説明】
【００４５】
１  ケーブル端子固定装置
２  導体（バスバー）
３  スライド部材（スプリング端子）
４  ハウジング
６  レバー
１１  ケーブル
１２  ケーブル端子
４１  本体
４８  分離体
５０  支持体
【図１】
2020202085.tif 000003
【図２】
2020202085.tif 000004
【図３】
2020202085.tif 000005
【図４】
2020202085.tif 000006
【図５】
2020202085.tif 000007
【図６】
2020202085.tif 000008
【図７】
2020202085.tif 000009
【図８】
2020202085.tif 000010
【図９】
2020202085.tif 000011